【手続補正書】
【提出日】平成20年4月14日(2008.4.14)
【手続補正１】
【補正対象書類名】明細書
【補正対象項目名】特許請求の範囲
【補正方法】変更
【補正の内容】
【特許請求の範囲】
【請求項１】  使用中の引張強さが約１００ｇ／インチより大きいウェットワイプであって、約２００ｐｐｍ未満の濃度の１つ又はそれ以上の多価イオンを有する水道水に約１時間浸漬した後に、前記ウェットワイプの引張強さが、約５０ｇ／インチ未満であることを特徴とするウェットワイプ。
【請求項２】  前記ウェットワイプの使用中の引張強さが約１５０ｇ／インチより大きく、約２００ｐｐｍ未満の濃度の１つ又はそれ以上の多価イオンを有する水道水に約１時間浸漬した後に、引張強さが約５０ｇ／インチ未満であることを特徴とする請求項１に記載のウェットワイプ。
【請求項３】  前記ウェットワイプの使用中の引張強さが約１００ｇ／インチより大きく、約２００ｐｐｍ未満の濃度の１つ又はそれ以上の多価イオンを有する水道水に約１時間浸漬した後に、引張強さが約１０ｇ／インチ未満であることを特徴とする請求項１に記載のウェットワイプ。
【請求項４】  前記ウェットワイプの使用中の引張強さが約１００ｇ／インチより大きく、約５０ｐｐｍ未満の濃度の１つ又はそれ以上の多価イオンを有する水道水に約１時間浸漬した後に、引張強さが約３０ｇ／インチ未満であることを特徴とする請求項１に記載のウェットワイプ。
【請求項５】  前記ウェットワイプが、湿潤化組成物で飽和された布シートを含み、前記布シートが、繊維材料及びイオン感応性結合剤を含み、前記湿潤化組成物が、約１０重量％未満の有機溶媒を含有することを特徴とする請求項１に記載のウェットワイプ。
【請求項６】  前記湿潤化組成物が、約４重量パーセント未満の有機溶媒を含有することを特徴とする請求項５に記載のウェットワイプ。
【請求項７】  前記湿潤化組成物が、実質的に有機溶媒を含有しないことを特徴とする請求項５に記載のウェットワイプ。
【請求項８】  前記湿潤化組成物が、該湿潤化組成物の重量に基づき少なくとも１重量パーセントの濃度で活性化化合物を含むことを特徴とする請求項５に記載のウェットワイプ。
【請求項９】  前記活性化化合物が、１価の塩を含むとともに、前記湿潤化組成物の重量に基づき少なくとも１重量パーセントの濃度で存在することを特徴とする請求項８に記載のウェットワイプ。
【請求項１０】  前記活性化化合物が、塩化ナトリウムであることを特徴とする請求項８に記載のウェットワイプ。
【請求項１１】  前記イオン感応性結合剤が、イオン感応性ポリマー及びコバインダーの少なくとも１つを含むことを特徴とする請求項５に記載のウェットワイプ。
【請求項１２】  前記イオン感応性ポリマーが、（ａ）アクリル酸及びメタクリル酸の少なくとも１つ、及び（ｂ）１つ又はそれ以上のアクリル酸アルキルから形成されることを特徴とする請求項１１に記載のウェットワイプ。
【請求項１３】  前記コバインダーが、非架橋ポリ（エチレン−酢酸ビニル）、非架橋ポリ（スチレン−ブタジエン）、及び非架橋ポリ（スチレン−アクリル）から選択されることを特徴とする請求項１１に記載のウェットワイプ。
【請求項１４】  前記湿潤化組成物が、
約８６から約９８重量パーセントの脱イオン水と、
前記活性化化合物としての約１から約６重量パーセントの塩化ナトリウムと、  約２重量パーセントまでの１つ又はそれ以上の防腐剤と、
約２重量パーセントまでの１つ又はそれ以上の界面活性剤と、
約１重量パーセントまでの１つ又はそれ以上のシリコンエマルジョンと、
約１重量パーセントまでの１つ又はそれ以上の皮膚軟化剤と、
約０．３重量パーセントまでの１つ又はそれ以上の香料と、
約０．５重量パーセントまでの１つ又はそれ以上の香料溶解補助剤と、
約０．５重量パーセントまでの１つ又はそれ以上のｐＨ調整剤と、
を含むことを特徴とする請求項５に記載のウェットワイプ。
【請求項１５】  湿潤化組成物で飽和された布シートを含むウェットワイプであって、前記布シートが、繊維材料及びイオン感応性結合剤を含み、前記湿潤化組成物が、約１０重量パーセント未満の有機溶媒を含有し、前記ウェットワイプの使用中の引張強さが約１００ｇ／インチより大きく、約２００ｐｐｍ未満の濃度の１つ又はそれ以上の多価イオンを含む水道水中に約１時間浸漬した後の引張強さが、約３０ｇ／インチ未満であることを特徴とするウェットワイプ。
【請求項１６】  前記繊維材料が、織布、不織布、編地、又はその組み合わせの１つ又はそれ以上の層を含むことを特徴とする請求項１５に記載のウェットワイプ。
【請求項１７】  前記繊維材料が、不織布の１つ又はそれ以上の層を含むことを特徴とする請求項１５に記載のウェットワイプ。
【請求項１８】  前記繊維材料が、長さが約１５ｍｍ又はそれ以下である繊維を含むことを特徴とする請求項１５に記載のウェットワイプ。
【請求項１９】  前記繊維材料が、天然繊維、合成繊維、又はその組み合わせを含むことを特徴とする請求項１５に記載のウェットワイプ。
【請求項２０】  前記繊維材料が、綿、亜麻、ジュート、麻、羊毛、木材パルプ、ビスコースレーヨン、キュプラレーヨン、酢酸セルロース、ポリエステル、ポリアミド、及びポリアクリルを含む１つ又はそれ以上の繊維を含むことを特徴とする請求項１５に記載のウェットワイプ。
【請求項２１】  前記繊維材料が、木材パルプを含むことを特徴とする請求項１５に記載のウェットワイプ。
【請求項２２】  繊維材料と、
スルホン酸陰イオン修飾アクリル酸ターポリマー及び非架橋ポリ（エチレン−酢酸ビニル）を含み、少なくとも約１重量パーセントの１つ又はそれ以上の１価イオンを含む塩を含有する中性の塩溶液に不溶性であり、約２００ｐｐｍまでの１つ又はそれ以上の多価イオンを含む水に可溶性である、前記繊維材料を結合して一体化ウェブにするための結合剤組成物と、
少なくとも約１重量パーセントの活性化化合物を含む湿潤化組成物と、
を含むことを特徴とするウェットワイプ。
【請求項２３】  前記結合剤組成物が、約１５ｐｐｍから約２００ｐｐｍまでの１つ又はそれ以上の多価イオンを含む水に可溶性であることを特徴とする請求項２２に記載のウェットワイプ。
【請求項２４】  前記結合剤組成物が、約１０ｐｐｍ未満の１つ又はそれ以上の多価イオンを含む水に可溶性であることを特徴とする請求項２２に記載のウェットワイプ。
【請求項２５】  前記結合剤組成物が、約１重量パーセントから約５．０重量パーセントまでの塩を含有する中性塩溶液に不溶性であることを特徴とする請求項２２に記載のウェットワイプ。
【請求項２６】  前記多価イオンが、Ｃａ2+イオン、Ｍｇ2+イオン、Ｚｎ2+イオン、又はその組み合わせを含むことを特徴とする請求項２２に記載のウェットワイプ。
【請求項２７】  前記１価イオンが、Ｎａ+イオン、Ｌｉ+イオン、Ｋ+イオン、ＮＨ4+イオン、又はその組み合わせを含むことを特徴とする請求項２２に記載のウェットワイプ。
【請求項２８】  前記スルホン酸陰イオン修飾アクリル酸ターポリマーが、（ａ）アクリル酸及びメタクリル酸の少なくとも１つ、及び（ｂ）１つ又はそれ以上のアクリル酸アルキルを含むことを特徴とする請求項２２に記載のウェットワイプ。
【請求項２９】  前記スルホン酸陰イオン修飾アクリル酸ターポリマーが、アクリル酸、２−アクリルアミド−２−メチル−１−プロパンスルホン酸（ＡＭＰＳ）又は２−アクリルアミド−２−メチル−１−プロパンスルホン酸のナトリウム塩（ＮａＡＭＰＳ）又はその組み合わせ、アクリル酸ブチル、及びアクリル酸２−エチルヘキシルから形成されることを特徴とする請求項２２に記載のウェットワイプ。
【請求項３０】  前記結合剤組成物が、約６５から約７５重量パーセントまでのスルホン酸陰イオン修飾アクリル酸ターポリマー及び約３５から約２５重量パーセントまでの非架橋ポリ（エチレン−酢酸ビニル）を含むことを特徴とする請求項２２に記載のウェットワイプ。
【請求項３１】  前記繊維材料が、織布、不織布、編地、又はその組み合わせの１つ又はそれ以上の層を含むことを特徴とする請求項２２に記載のウェットワイプ。
【請求項３２】  前記繊維材料が、長さが約１５ｍｍ又はそれ以下である繊維を含むことを特徴とする請求項３１に記載のウェットワイプ。
【請求項３３】  前記繊維材料が、天然繊維、合成繊維、又はその組み合わせを含むことを特徴とする請求項２２に記載のウェットワイプ。
【請求項３４】  前記繊維材料が、綿、亜麻、ジュート、麻、羊毛、木材パルプ、ビスコースレーヨン、キュプラレーヨン、酢酸セルロース、ポリエステル、ポリアミド、及びポリアクリルを含む１つ又はそれ以上の繊維を含むことを特徴とする請求項３３に記載のウェットワイプ。
【請求項３５】  前記繊維材料が、木材パルプを含むことを特徴とする請求項２２に記載のウェットワイプ。
【請求項３６】  前記湿潤化組成物が、
約８６から約９８重量パーセントの脱イオン水と、
前記活性化化合物としての約１から約６重量パーセントの塩化ナトリウムと、  約２重量パーセントまでの１つ又はそれ以上の防腐剤と、
約２重量パーセントまでの１つ又はそれ以上の界面活性剤と、
約１重量パーセントまでの１つ又はそれ以上のシリコンエマルジョンと、
約１重量パーセントまでの１つ又はそれ以上の皮膚軟化剤と、
約０．３重量パーセントまでの１つ又はそれ以上の香料と、
約０．５重量パーセントまでの１つ又はそれ以上の香料溶解補助剤と、
約０．５重量パーセントまでの１つ又はそれ以上のｐＨ調整剤と、
を含むことを特徴とする請求項２２に記載のウェットワイプ。
【請求項３７】  繊維材料と、
（ａ）アクリル酸、２−アクリルアミド−２−メチル−１−プロパンスルホン酸（ＡＭＰＳ）又は２−アクリルアミド−２−メチル−１−プロパンスルホン酸のナトリウム塩（ＮａＡＭＰＳ）又はその組み合わせ、アクリル酸ブチル、及びアクリル酸２−エチルヘキシルから形成された第１のポリマー、及び（ｂ）非架橋ポリ（エチレン−酢酸ビニル）を含む第２のポリマーを含む、前記繊維材料を結合して一体化ウェブにするための結合剤組成物と、
少なくとも約１重量パーセントの活性化化合物を含有する湿潤化組成物と、
を含むことを特徴とするウェットワイプ。
【請求項３８】  前記第１のポリマーが、約３５から８０モルパーセント未満までのアクリル酸、０を超え約２０モルパーセントまでのＡＭＰＳ又はＮａＡＭＰＳ又はその組み合わせ、０を超え約６５モルパーセントまでのアクリル酸ブチル、及び０を超え約４５モルパーセントまでのアクリル酸２−エチルヘキシルで形成されることを特徴とする請求項３７に記載のウェットワイプ。
【請求項３９】  前記第１のポリマーが、約６５から約７５重量パーセントまでの量で存在し、前記第２のポリマーが、約３５から２５重量パーセントまでの量で存在することを特徴とする請求項３７に記載のウェットワイプ。
【請求項４０】  前記繊維材料が、木材パルプを含むことを特徴とする請求項３７に記載のウェットワイプ。
【請求項４１】  前記湿潤化組成物が、
約８６から約９８重量パーセントの脱イオン水と、
前記活性化化合物としての約１から約６重量パーセントの塩化ナトリウムと、  約２重量パーセントまでの１つ又はそれ以上の防腐剤と、
約２重量パーセントまでの１つ又はそれ以上の界面活性剤と、
約１重量パーセントまでの１つ又はそれ以上のシリコンエマルジョンと、
約１重量パーセントまでの１つ又はそれ以上の皮膚軟化剤と、
約０．３重量パーセントまでの１つ又はそれ以上の香料と、
約０．５重量パーセントまでの１つ又はそれ以上の香料溶解補助剤と、
約０．５重量パーセントまでの１つ又はそれ以上のｐＨ調整剤と
を含むことを特徴とする請求項３７に記載のウェットワイプ。
【請求項４２】  前記繊維材料が、長さが約１５ｍｍ又はそれ以下の繊維を含むことを特徴とする請求項３７に記載のウェットワイプ。
【請求項４３】  前記繊維材料が、天然繊維、合成繊維、又はその組み合わせを含むことを特徴とする請求項３７に記載のウェットワイプ。
【請求項４４】  前記繊維材料が、木材パルプを含むことを特徴とする請求項３７に記載のウェットワイプ。
【請求項４５】  約７８から約８３重量パーセントまでの繊維長さが約１５ｍｍ未満の木材パルプ、及び
約６０モルパーセントのアクリル酸と約５モルパーセントのＮａＡＭＰＳと約２４．５モルパーセントのアクリル酸ブチルと約１０．５モルパーセントのアクリル酸２−エチルヘキシルとを含む約６５から約７５重量パーセントまでのスルホン酸陰イオン修飾アクリル酸ターポリマー、及び約２５から約３５重量パーセントまでの非架橋ポリ（エチレン−酢酸ビニル）を含む、前記木材パルプに塗布して乾燥させた約２２から約１７重量パーセントの結合剤組成物、
を含む布と、
約９２．８８重量パーセントの脱イオン水、
約４．００重量パーセントの塩化ナトリウム、
約１．００重量パーセントの、グリセリン、ＩＰＢＣ、及びＤＭＤＭヒダントインを含む１つ又はそれ以上の防腐剤、
約１．００重量パーセントの、アシルグルタミン酸塩を含む界面活性剤、
約０．５０重量パーセントの、ジメチコノール及びＴＥＡドデシルベンゼンスルホナートを含む１つ又はそれ以上のシリコンエマルジョン、
約０．２５重量パーセントの、ＰＥＧ−７５ラノリンを含む皮膚軟化剤、
約０．０５重量パーセントの１つ又はそれ以上の香料、
約０．２５重量パーセントの、ポリソルベート２０を含む香料溶解補助剤、及び
約０．０７重量パーセントの、リンゴ酸を含むｐＨ調整剤、
を含む湿潤化組成物と
を含むことを特徴とするウェットワイプ。
【請求項４６】  繊維材料と、
スルホン酸陰イオン修飾アクリル酸ターポリマー及び非架橋ポリ（エチレン−酢酸ビニル）を含み、少なくとも約１重量パーセントの塩化ナトリウムを含有する中性生理食塩水溶液には不溶性であり、実質的にナトリウムイオンを含まず、５０ｐｐｍのカルシウムイオン及びマグネシウムイオンを２：１比で含有する水には可溶性である、前記繊維材料を結合して一体化ウェブにするための結合剤組成物と、
少なくとも約１重量パーセントの活性化化合物を含有する湿潤化組成物と
を含むことを特徴とするウェットワイプ。
【請求項４７】  ウェットワイプを製造する方法であって、
繊維材料のウェブを形成する段階と、
スルホン酸陰イオン修飾アクリル酸ターポリマー及び非架橋ポリ(エチレン−酢酸ビニル）を含み、少なくとも約１重量パーセントの１つ又はそれ以上の１価イオンを含を塩を含有する中性の塩溶液に不溶性であり、約２００ｐｐｍまでの１つ又はそれ以上の多価イオンを含む水には可溶性である結合剤組成物を、前記ウェブに塗布する段階と、
少なくとも約１重量パーセントの活性化化合物を含有する湿潤化組成物を前記ウェブに塗布する段階と
を含むことを特徴とする方法。
【請求項４８】  前記結合剤組成物が、約１５ｐｐｍから約２００ｐｐｍまでの１つ又はそれ以上の多価イオンを含有する水に可溶性であることを特徴とする請求項４７に記載の方法。
【請求項４９】  前記結合剤組成物が、約１０ｐｐｍ未満の１つ又はそれ以上の多価イオンを含有する水に可溶性であることを特徴とする請求項４７に記載の方法。
【請求項５０】  前記結合剤組成物が、約１重量パーセントから約５．０重量パーセントまでの塩を含有する中性塩溶液に不溶性であることを特徴とする請求項４７に記載の方法。
【請求項５１】  前記多価イオンが、Ｃａ2+イオン、Ｍｇ2+イオン、Ｚｎ2+イオン、又はその組み合わせを含むことを特徴とする請求項４７に記載の方法。
【請求項５２】  前記１価イオンが、Ｎａ+イオン、Ｌｉ+イオン、Ｋ+イオン、ＮＨ4+イオン、又はその組み合わせを含むことを特徴とする請求項４７に記載の方法。
【請求項５３】  前記スルホン酸陰イオン修飾アクリル酸ターポリマーが、（ａ）アクリル酸及びメタクリル酸の少なくとも１つ、及び（ｂ）１つ又はそれ以上のアクリル酸アルキルを含むことを特徴とする請求項４７に記載の方法。
【請求項５４】  前記スルホン酸陰イオン修飾アクリル酸ターポリマーが、アクリル酸、２−アクリルアミド−２−メチル−１−プロパンスルホン酸（ＡＭＰＳ）又は２−アクリルアミド−２−メチル−１−プロパンスルホン酸のナトリウム塩（ＮａＡＭＰＳ）又はその組み合わせ、アクリル酸ブチル、及びアクリル酸２−エチルヘキシルから形成されることを特徴とする請求項４７に記載の方法。
【請求項５５】  前記繊維材料が、織布、不織布、編地、又はその組み合わせの１つ又はそれ以上の層を含むことを特徴とする請求項４７に記載の方法。
【請求項５６】  前記繊維材料が、木材パルプを含むことを特徴とする請求項４７に記載の方法。
【請求項５７】  前記湿潤化組成物が、
約８６から約９８重量パーセントの脱イオン水と、
前記活性化化合物としての約１から約６重量パーセントの塩化ナトリウムと、
約２重量パーセントまでの１つ又はそれ以上の防腐剤と、
約２重量パーセントまでの１つ又はそれ以上の界面活性剤と、
約１重量パーセントまでの１つ又はそれ以上のシリコンエマルジョンと、
約１重量パーセントまでの１つ又はそれ以上の皮膚軟化剤と、
約０．３重量パーセントまでの１つ又はそれ以上の香料と、
約０．５重量パーセントまでの１つ又はそれ以上の香料溶解補助剤と、
約０．５重量パーセントまでの１つ又はそれ以上のｐＨ調整剤と、
を含むことを特徴とする請求項４７に記載の方法。
【請求項５８】  ウェットワイプを製造する方法であって、
繊維材料のウェブを形成する段階と、
（ａ）アクリル酸、２−アクリルアミド−２−メチル−１−プロパンスルホン酸（ＡＭＰＳ）又は２−アクリルアミド−２−メチル−１−プロパンスルホン酸のナトリウム塩（ＮａＡＭＰＳ）又はその組み合わせ、アクリル酸ブチル、及びアクリル酸２−エチルヘキシルから形成された第１のポリマー、及び（ｂ）非架橋ポリ（エチレン−酢酸ビニル）を含む第２のポリマーを含む結合剤組成物を、前記ウェブに塗布する段階と、
少なくとも約１重量パーセントの活性化化合物を含有する湿潤化組成物を前記ウェブに塗布する段階と、
を含むことを特徴とする方法。
【請求項５９】  前記第１のポリマーが、約３５から８０モルパーセント未満までのアクリル酸、０を超え約２０モルパーセントまでのＡＭＰＳ又はＮａＡＭＰＳ又はその組み合わせ、０を超え約６５モルパーセントまでのアクリル酸ブチル、及び０を超え約４５モルパーセントまでのアクリル酸２−エチルヘキシルで形成されることを特徴とする請求項５８に記載の方法。
【請求項６０】  前記第１のポリマーが、約６５から約７５重量パーセントまでの量で存在し、前記第２のポリマーが、約３５から２５重量パーセントまでの量で存在することを特徴とする請求項５８に記載の方法。
【請求項６１】  前記第１のポリマーが、約６０モル％のアクリル酸、約５モル％のＡＭＰＳ又はＮａＡＭＰＳ又はその組み合わせ、約２４．５モル％のアクリル酸ブチル、及び約１０．５モル％のアクリル酸２−エチルヘキシルを含むとともに、約７５重量パーセントの量で存在し、前記第２のポリマーが、約２５重量パーセントの量で存在し、前記湿潤化組成物が、約４重量パーセントの活性化化合物を含有することを特徴とする請求項５８に記載の方法。
【請求項６２】  前記繊維材料が、木材パルプを含むことを特徴とする請求項５８に記載の方法。